(57)【要約】【課題】礼拝シンボルを安定して設置できるホルダー、および、これに対応した祭祀用設備の提供。【解決手段】礼拝シンボルのホルダー１０は、少なくとも背板１２を備え、この背板１２の前側に礼拝シンボル９０を保持可能である。背板１２の裏面１２Ａには、磁力により設置可能な磁力設置手段１３が設けられる。仏壇２０（祭祀用設備）は、礼拝シンボルのホルダー１０に設けられた磁力設置手段１３との間で磁力による引力が作用し、この引力によって礼拝シンボルのホルダー１０を固定可能とする鉄板２２Ｂ（磁力固定手段）を壁面２０Ｃに備える。【選択図】図６
0003204713.tif 000002
【実用新案登録請求の範囲】
【請求項１】
少なくとも背板を備え、該背板の前側に礼拝シンボルを保持可能な礼拝シンボルのホルダーであって、
前記背板の裏面に、磁力により設置可能な磁力設置手段が設けられている、礼拝シンボルのホルダー。
【請求項２】
請求項１に記載の礼拝シンボルのホルダーが設置される祭祀用設備であって、
前記礼拝シンボルのホルダーに設けられた前記磁力設置手段との間で磁力による引力が作用し、この引力によって前記礼拝シンボルのホルダーを固定可能とする磁力固定手段を壁面に備えている、祭祀用設備。
【考案の詳細な説明】
【技術分野】
【０００１】
本考案は、磁力により礼拝シンボルを設置することが可能な礼拝シンボルのホルダーと、これに対応した祭祀用設備に関する。
【背景技術】
【０００２】
従来、宗教においては、この宗教に関連する何らかの礼拝シンボルに向かって拝む礼拝が行われる。例えば、仏教の浄土真宗の礼拝においては、阿弥陀如来の仏画もしくは仏像、または名号と呼ばれる漢文が書かれた紙を礼拝シンボルとし、この礼拝シンボルを祭祀用設備である仏壇にセットして、この礼拝シンボルに向かって拝む。また、例えば神道の礼拝においては、伊勢神宮のお札と、氏神神社のお札と、崇敬神社のお札との３枚のお札を礼拝シンボルとし、この礼拝シンボルを祭祀用設備である神棚にセットして、この礼拝シンボルに向かって拝む。
【０００３】
このような礼拝においては、礼拝シンボルをホルダーに保持させた状態で祭祀用設備等にセットすることがある。このようなホルダーとしては、例えば下記の特許文献１に記載されたホルダー（仏具）が知られている。このホルダーは、台座と、台座から立設された支柱と、支柱に対して上下摺動可能に配された額縁とからなる。額縁には礼拝シンボルとなる本尊仏画が保持され、この額縁を支柱に沿って上下摺動させることで、本尊仏画の高さ位置を適宜変更することが可能となっている。
【先行技術文献】
【特許文献】
【０００４】
【特許文献１】特許第４８１８６８７号公報
【考案の概要】
【考案が解決しようとする課題】
【０００５】
ところで、上記ホルダーは、祭祀用設備である仏壇における須弥壇（本尊をセットするために設けられた台）の上に置くだけのものである。このため、上記ホルダーは、例えば仏壇に供物を供える際や地震などの振動があった際などに、倒れる可能性がある不安定なものであった。
【０００６】
また、仏壇等の祭祀用設備は、比較的高額なものが多い。そのため、祭祀用設備を使用せず、ホルダーに保持した礼拝シンボルを、室内の所定箇所へそのまま置くこともある。また、礼拝用シンボルは、旅行などの外出時に持ち歩くこともあるが、その場合も、外出先にてホルダーを所定箇所へそのまま置くことになる。このように、ホルダーを祭祀用設備以外の場所へ置く場合、比較的安定して置くことができる場所にしか設置できないばかりか、祭祀用設備へセットする場合と比べるとより不安定となる。
【０００７】
そこで、本考案は上記課題を解決するものであって、礼拝シンボルを安定して設置できるホルダーと、これに対応した祭祀用設備を提供することを目的とする。
【課題を解決するための手段】
【０００８】
本考案は、少なくとも背板を備え、この背板の前側に礼拝シンボルを保持可能な礼拝シンボルのホルダーである。このホルダーは、その背板の裏面に、磁力により設置可能な磁力設置手段が設けられている。
【０００９】
また、上記礼拝シンボルのホルダーが設置される祭祀用設備の考案も提供される。この祭祀用設備は、ホルダーに設けられた磁力設置手段との間で磁力による引力が作用し、この引力によってホルダーを固定可能とする磁力固定手段を壁面に備えている。
【考案の効果】
【００１０】
本考案のホルダーは、磁力によって設置するため、従来のように単に所定箇所へ置くだけのホルダーよりも、安定して礼拝シンボルを設置することができる。また、壁面へ設置可能なので、置く場合に比べて高さ位置調整の自由度も高い。しかも、磁力が作用する箇所であれば設置場所は特に制限されないので、祭祀用設備のみならず、外出先など祭祀用設備以外の箇所へも容易に安定して設置することができる。
【００１１】
また、本考案のホルダーでは、台座を設けることもできるが、壁面へ設置できるため必ずしも台座を設ける必要は無い。したがって、台座を省略したコンパクトなホルダーとすることもできる。この場合、設置箇所の省スペース化、及び外出先への持ち運びに有利となる。
【図面の簡単な説明】
【００１２】
【図１】本考案の一実施形態にかかる礼拝シンボルのホルダー１０の正面図である。
【図２】礼拝シンボルのホルダー１０の背面図である。
【図３】図２のＩＩＩ−ＩＩＩ線断面矢視図である。
【図４】礼拝シンボルのホルダー１０を仏壇２０に設置した状態の正面図である。
【図５】図４のＶ−Ｖ線断面矢視図である。
【図６】図５のＡ部拡大図である。
【考案を実施するための形態】
【００１３】
以下に、本考案の代表的な実施形態について、図面を用いて説明する。
【００１４】
始めに、本考案の一実施形態にかかる礼拝シンボルのホルダー１０の構成について、主に図１ないし図３を用いて説明する。この礼拝シンボルのホルダー１０は、図１に示すように、平面状の礼拝シンボル９０を、透明板１０Ａを通して視認できる状態で保持することができるホルダーである。ここで、礼拝シンボル９０は、仏教の真言宗において本尊として礼拝される仏画である大日如来坐像９０Ａに、この大日如来坐像９０Ａを縁取るフィルム状の飾りである表装９０Ｂを貼り付けた構成となっている。
【００１５】
礼拝シンボルのホルダー１０は、図３に示すように、礼拝シンボル９０を縁取る長方形状の枠として形成された額縁１１に、透明板１０Ａおよび背板１２をはめ入れた状態に保持する構成となっている。この透明板１０Ａおよび背板１２は、礼拝シンボル９０をその大日如来坐像９０Ａが透明板１０Ａ側となる向きで挟みこんだ状態において、大日如来坐像９０Ａを、透明板１０Ａを透かして視認できる状態（図１参照）にする。この状態において、礼拝シンボル９０は、背板１２の前側（図３で見て左側）に保持される。
【００１６】
ここで、額縁１１は、その前側（図３で見て左側）の部分から内方に張り出されたかかり１１Ａを備えて、このかかり１１Ａにより透明板１０Ａを抜け止めされた状態に保持するようになっている。また、額縁１１は、図２に示すように、後ろ側（図２で見て手前側）となる裏面１１Ｂに、タッピングねじ１１Ｄによってねじ止めされた薄板であるトンボ１１Ｃを備えている。このトンボ１１Ｃは、このトンボ１１Ｃをねじ止めするタッピングねじ１１Ｄを軸として回動するようになっている。これにより、トンボ１１Ｃは、背板１２に対して干渉しないように引き込まれた状態（図２の仮想線を参照）と、背板１２を抜け止めするように額縁１１の内方に突出された状態（図２の実線を参照）とに切り替えられるようになっている。なお、図２においては、トンボ１１Ｃは額縁１１の両側縁において互いに対向される２箇所に１つずつ配設されているが、額縁１１に配設されるトンボ１１Ｃの数およびその配設位置は適宜に変更することができるものである。
【００１７】
ところで、背板１２は、図２および図３に示すように、後ろ側（図３で見て右側）となる裏面１２Ａに、直方体の板状に形成されたマグネットプレート１３が接着された状態に設けられている。このマグネットプレート１３は、その直方体における４つの角部のそれぞれにレアアース磁石１３Ａを埋め込まれた状態に備えて、その磁力により近くの磁石あるいは強磁性体（例えば図６に示す、壁面２０Ｃと一体化された鉄板２２Ｂ）に吸着することで、礼拝シンボルのホルダー１０の設置を実現させるようになっている。すなわち、マグネットプレート１３は、本考案における「磁力設置手段」に相当する。
【００１８】
上述したように、礼拝シンボルのホルダー１０は、鉄板２２Ｂが一体化された壁面２０Ｃ（図６参照）へ設置できる。このため、礼拝シンボルのホルダー１０において、台座は必ずしも必要なものではなく、本実施形態では台座は省略されている。これにより、礼拝シンボルのホルダー１０は、設置箇所の省スペース化が実現され、かつ、外出先への持ち運びに便利なコンパクトなホルダーとされている。
【００１９】
続いて、本考案の一実施形態にかかる祭祀用設備である仏壇２０の構成について、図４ないし図６を用いて説明する。なお、本明細書においては、仏壇２０（図４参照）に追加されてこの仏壇２０を飾る荘厳などの付随的な構成について、その図示および詳細な説明を省略する。
【００２０】
仏壇２０は、主に仏教の真言宗の宗徒が礼拝に際して祭祀用設備として使用する仏壇である。この仏壇２０は、図４および図５に示すように、正面に観音開きの扉２０Ｂを備えた箱型の厨子２０Ａの中に、３段のひな壇２１を厨子２０Ａと一体化された状態にしつらえた構成とされている。ここで、ひな壇２１の最上段は、その正面部分中央に、中央部分がくびれた台を表したレリーフ（図示省略）が彫られることで、この上が宮殿２２であることを示す須弥壇２１Ａとして設定されている。なお、宮殿２２は、仏壇２０において本尊（例えば図４に示す大日如来坐像９０Ａ）をセットするためのスペースである。
【００２１】
ところで、仏壇２０は、図５に示すように、その厨子２０Ａの内壁面のうち、宮殿２２の後ろ側（図５で見て右側）の部分に位置される壁面２０Ｃ上にしつらえられた鉄板２２Ｂを備えている。この鉄板２２Ｂは、その後ろ側（図５で見て右側）の板面が壁面２０Ｃに貼り付けられて一体化された構成とされ、かつ、その前側（図５で見て左側）の板面が化粧板２２Ａに覆われた構成とされている。なお、仏壇２０は、その組み立てに際して鉄板２２Ｂを壁面２０Ｃに一体にしつらえたものであっても、完成品として組み立てられた既存の仏壇に鉄板２２Ｂを後付けしてしつらえたものであってもよい。
【００２２】
また、鉄板２２Ｂは、図５および図６に示すように、礼拝シンボルのホルダー１０に設けられたマグネットプレート１３との間で磁力による引力を作用させて、この引力によって礼拝シンボルのホルダー１０を壁面２０Ｃと一体化された化粧板２２Ａに貼り付いた状態に固定できるようになっている。すなわち、鉄板２２Ｂは、本考案における「磁力固定手段」に相当する。なお、図６において、鉄板２２Ｂは礼拝シンボルのホルダー１０の背板１２よりも小さく、前側（図６では左側）から見た場合に礼拝シンボルのホルダー１０に覆い隠されるようになっているが、鉄板２２Ｂのサイズは適宜に変更することができるものである。
【００２３】
上述した礼拝シンボルのホルダー１０と仏壇２０との組み合わせによれば、礼拝シンボルのホルダー１０は、仏壇２０に対して磁力によって設置される。これにより、上述した特許文献１に記載されたホルダーのような単に須弥壇の上に置くだけのホルダーと比して、礼拝シンボル９０をより安定的な状態に設置することができる。また、礼拝シンボルのホルダー１０は、壁面２０Ｃと一体化された化粧板２２Ａに貼り付いた状態に設置することと、その設置場所を鉄板２２Ｂがしつらえられている範囲において調節することとができる。このため、礼拝シンボルのホルダー１０は、上記特許文献１のホルダーのような置くだけのホルダーと比して、礼拝シンボル９０の高さ位置調整の自由度を高くすることができる。また、礼拝シンボルのホルダー１０は、そのマグネットプレート１３との間で磁力による引力が作用する場所であれば、設置場所は特に制限されない。すなわち、礼拝シンボルのホルダー１０は、仏壇２０のみならず、例えば外出先など、祭祀用設備でない場所にも、比較的容易に安定的な状態で設置することができるものである。
【００２４】
本考案は、上述した実施形態で説明した外観、構成に限定されず、本考案の要旨を変更しない範囲で種々の変更、追加、削除が可能である。例えば、以下のような各種の形態を実施することができる。
【００２５】
（１）本考案にかかる仏壇においては、磁力固定手段として鉄板の代わりにマグネットプレートをしつらえた構成を採用することができる。この場合において、礼拝シンボルのホルダーに設けられる磁力設置手段は、マグネットプレートから鉄板に変更することができる。なお、上記各形態における鉄板は、例えばアルニコ合金からなる板など、適宜選択した強磁性体からなる板に置き換えてもよい。
【００２６】
（２）本考案は、主に仏教の真言宗の宗徒が礼拝に際して使用する仏壇と礼拝シンボルのホルダーとの組み合わせに限定されない。すなわち、本考案にかかる仏壇と礼拝シンボルのホルダーとの組み合わせは、この礼拝シンボルのホルダーに保持される礼拝シンボルを適宜に変更することで、仏教における真言宗以外の宗徒の礼拝に供することができるものである。また、本考案は、例えば神社のお札を外部から見えない状態に収納可能なホルダーである宮形およびこの宮形が設置される祭祀用設備である神棚など、仏教以外の宗教において使用される礼拝シンボルのホルダーおよび祭祀用設備に適用することもできるものである。
【符号の説明】
【００２７】
１０    礼拝シンボルのホルダー
１０Ａ  透明板
１１    額縁
１１Ａ  かかり
１１Ｂ  裏面
１１Ｃ  トンボ
１１Ｄ  タッピングねじ
１２    背板
１２Ａ  裏面
１３    マグネットプレート（磁力設置手段）
１３Ａ  レアアース磁石
２０    仏壇（祭祀用設備）
２０Ａ  厨子
２０Ｂ  扉
２０Ｃ  壁面
２１    ひな壇
２１Ａ  須弥壇
２２    宮殿
２２Ａ  化粧板
２２Ｂ  鉄板（磁力固定手段）
９０    礼拝シンボル
９０Ａ  大日如来坐像
９０Ｂ  表装
【図１】
0003204713.tif 000003
【図２】
0003204713.tif 000004
【図３】
0003204713.tif 000005
【図４】
0003204713.tif 000006
【図５】
0003204713.tif 000007
【図６】
0003204713.tif 000008